(57)【要約】      （修正有）【課題】単一の紙製シートを用いて形成されるケースにおいて、底壁に重ね合わされる内底壁を安定的に配することができ、強度に優れたケースを提供する。【解決手段】底壁、前壁２、後壁３、左右の側壁４、５を備えるとともに、左右の側壁４、５から連設され左右の側壁４、５の内面に添接させた左右の内側壁６、７と、前壁２から連設され前壁２の内面に添接させた内前壁と、内前壁から連設され底壁と略同一形状をなすとともに底壁の内面に重ね合わされる内底壁９を備え、内底壁９の両側縁に外方に突出させた凸部ｔ１、ｔ２を設けるとともに、これら凸部ｔ１、ｔ２を左右の内側壁６、７の下縁に形成される一部を切り欠けてなる凹部７３に係わり合わせる。【選択図】図３
0003172397.tif 000002
【実用新案登録請求の範囲】
【請求項１】
単一の紙製シートを折り曲げることにより形成され、物品を収容する収容空間を有したケースであって、
矩形平板状をなす底壁と、この底壁に対して立設される後壁と、前記底壁から連設された前壁及び左右の側壁と、前記左右の側壁から連設されるとともに前記左右の側壁の内面に重合して配される左右の内側壁と、前記前壁から連設されるとともに前記前壁の内面に重合して配される内前壁と、この内前壁から連設されるとともに前記底壁と略同一形状をなして前記底壁の内面に重合して配される内底壁とを備えたものであり、
前記内底壁の両側縁に、外方に突出する形状の凸部を設け、前記凸部を前記内側壁の下縁に係わり合わせていることを特徴とするケース。
【請求項２】
前記左右の内側壁の下縁に、一部を切り欠いてなる凹部が形成されており、該凹部に前記凸部を係わり合わせるようにしている請求項１記載のケース。
【請求項３】
前記凸部が、前記内底壁の両側縁における前記後壁の近傍に形成されている請求項１又は２記載のケース。
【請求項４】
前記物品が、前記底壁の形状と略同一形状をなす複数枚のカードである請求項１、２又は３記載のケース。
【請求項５】
前記後壁から連設され前記収容空間の上側を覆う天壁を有する蓋体を備え、前記左の内側壁に、基端部を前記左の側壁と前記左の内側壁との境界部分に設けた左の切起片を備えてなるとともに、前記右の内側壁に、基端部を前記右の側壁と前記右の内側壁との境界部分に設けた右の切起片を備えてなる請求項１、２、３又は４記載のケース。
【請求項６】
前記天壁の幅寸法が、前記底壁の幅寸法よりも大きく設定されている請求項５記載のケース。
【請求項７】
前記紙製のシートが、印刷可能な領域を有している請求項１、２、３、４、５又は６記載のケース。
【考案の詳細な説明】
【技術分野】
【０００１】
本考案は、単一の紙製シートを折り曲げて形成される、物品を収容可能な紙製のケースに関するものである。
【背景技術】
【０００２】
従来から、物品を収容する紙製のケースとして種々のものが知られている（例えば特許文献１参照）。
【０００３】
ところで、単一の（１枚の）紙製シートを所定の位置で折り曲げて形成するようにしたケースにおいては、ケース全体の強度を向上させる等の目的で、ケースを構成する底壁の上面側に内底壁を重合させるようにしたものがある。
【０００４】
しかしながら、従来のものにおいては、単一の紙製シートを折り曲げて形成することに伴い、紙製シートの弾性反発力が惹起され、内底壁が底壁から離れる方向に移動してしまう（内底壁の浮き上がり）という問題があり、内底壁が底壁に重合した状態で安定的に保持されず、結果として型崩れや利用者の使い勝手の悪さを引き起こす原因となっていた。
【先行技術文献】
【特許文献】
【０００５】
【特許文献１】実開平０５−０６８８２４号公報
【考案の概要】
【考案が解決しようとする課題】
【０００６】
本考案は、このような課題に着目してなされたものであって、主たる目的は単一の紙製シートを用いて形成されるケースにおいて、底壁に重ね合わされる内底壁を安定的に配することができ、強度に優れたケースを提供することにある。
【課題を解決するための手段】
【０００７】
すなわち、本考案の次の構成をなすものである。
【０００８】
請求項１に係る考案は、単一の紙製シートを折り曲げることにより形成され、物品を収容する収容空間を有したケースであって、矩形平板状をなす底壁と、この底壁に対して立設される後壁と、前記底壁から連設された前壁及び左右の側壁と、前記左右の側壁から連設されるとともに前記左右の側壁の内面に重合して配される左右の内側壁と、前記前壁から連設されるとともに前記前壁の内面に重合して配される内前壁と、この内前壁から連設されるとともに前記底壁と略同一形状をなして前記底壁の内面に重合して配される内底壁とを備えたものであり、前記内底壁の両側縁に、外方に突出する形状の凸部を設け、前記凸部を前記内側壁の下縁に係わり合わせているものである。
【０００９】
請求項２に係る考案は、請求項１に係る構成において、前記左右の内側壁の下縁に、一部を切り欠いてなる凹部が形成されており、該凹部に前記凸部を係わり合わせるようにしているものである。
【００１０】
請求項３に係る考案は、請求項１又は２に係る構成において、前記凸部が、前記内底壁の両側縁における前記後壁の近傍に形成されているものである。
【００１１】
請求項４に係る考案は、請求項１、２又は３に係る構成において、前記物品が、前記底壁の形状と略同一形状をなす複数枚のカードであるものである。
【００１２】
請求項５に係る考案は、請求項１、２、３又は４に係る構成において、前記後壁から連設され前記収容空間の上側を覆う天壁を有する蓋体を備え、前記左の内側壁に、基端部を前記左の側壁と前記左の内側壁との境界部分に設けた左の切起片を備えてなるとともに、前記右の内側壁に、基端部を前記右の側壁と前記右の内側壁との境界部分に設けた右の切起片を備えてなるものである。
【００１３】
請求項６に係る考案は、請求項５に係る構成において、前記天壁の幅寸法が、前記底壁の幅寸法よりも大きく設定されているものである。
【００１４】
請求項７に係る考案は、請求項１、２、３、４、５又は６に係る構成において、前記紙製のシートが、印刷可能な領域を有しているものである。
【考案の効果】
【００１５】
以上説明したように本考案によれば、底壁に重ね合わされる内底壁を安定的に配することができ、強度に優れたケースを提供することができる。
【図面の簡単な説明】
【００１６】
【図１】本考案の一実施形態を示す前方斜視図。
【図２】同実施形態における斜視図。
【図３】同実施形態における斜視図。
【図４】同実施形態における斜視図。
【図５】図１におけるＡ−Ａ線断面図。
【図６】図５における部分拡大図。
【図７】同実施形態におけるケースの展開図。
【考案を実施するための形態】
【００１７】
以下、本考案の一実施形態を、図１〜図７を参照して説明する。なお、前後上下左右などの位置関係は、組立完了状態（例えば、図１）を基準にして説明することとする。
【００１８】
この実施形態は、本考案であるケースＣを、同一形状をなす複数枚のカードからなるトランプＢを物品として収納するためのトランプケース（以下、単に「ケース」という）に適用した場合のものである。以下、詳述する。
【００１９】
このケースＣは、図１に示されるように完成した状態においては、直方体状の外観をなしている。ケースＣは、図７に示されるような所定の形状に切り抜かれてなる一定の厚み寸法を備えた単一の紙製シートＰを、複数箇所で所定の方向に約９０度又は約１８０度折り曲げたり、所定の部材同士を組み付けたりして形成される。また、本実施形態のケースＣは、糊等の接着剤を一切使用することなく作られるものである。紙製シートＰは、両面に印刷可能な領域を有しているものであり、任意に両面ないし片面に適宜の印刷ＰＲを施すことができるようになっている。
【００２０】
ケースＣは、トランプＢを収容するための収容空間Ｓを有したもので、収容空間Ｓを形成するための底部分を形成する矩形平板状の底壁１と、この底壁１の前縁から連設された矩形平板状の前壁２と、底壁１に対して立設された矩形平板状の後壁３と、底壁１の左右の縁からそれぞれ連設された矩形平板状の左右の側壁４、５と、これら左右の側壁４、５の上縁からそれぞれ連設され左右の側壁４、５の内面に重合して配される略矩形平板状をなす左右の内側壁６、７と、前壁２の上縁から連設され前壁２の内面に重合して配される矩形平板状の内前壁８と、この内前壁８の下縁から連設されてなり底壁１と略同一形状である矩形平板状をなすとともに底壁１の内面に重合して配される内底壁９とを備えたものである。後壁３は、底壁１の後縁から連続して形成されている。さらに、このケースＣは、後壁３の上縁から連設され収容空間Ｓの上側を覆う矩形平板状の天壁１０１を有する蓋体１０を備えている。以下、各部について詳述する。
【００２１】
底壁１は、外面と内面を有する矩形平板状のものであり、その前後縁、左右の側縁からそれぞれ前壁２、後壁３、左の側壁４、右の側壁５を連続して設けている。これら前壁２、後壁３、左の側壁４、右の側壁５は、底壁１との境界部分ｂ１、ｂ２、ｂ３、ｂ４から内側に折り曲げられ、底壁１に対して約９０度の角度で設けられる。
【００２２】
前壁２は、外面と内面を有する矩形平板状のもので、上下方向及び左右方向の略中央の位置に、後述する蓋体１０と係わり合うための、湾曲スリット状の係止部Ｌ１を備えている。また、前壁２は、その上縁から内前壁８を連続して設けている。内前壁８は、前壁２との境界部分ｂ５から内側に折り曲げられ、前壁２に対して約１８０度の角度で設けられる。換言すれば、内前壁８は前壁２の内面に添設するように重合して配される。
【００２３】
後壁３は、外面と内面を有する矩形平板状のものであり、その上縁から蓋体１０の天壁１０１を連続して設けている。天壁１０１は、後壁３との境界部分ｂ６から内側に折り曲げられ、後壁３に対して約９０度の角度で設けられる。
【００２４】
左の側壁４は、外面と内面を有する矩形平板状のものであり、その上縁から左の内側壁６を連続して設けている。左の内側壁６は、左の側壁４との境界部分ｂ７から内側に折り曲げられ、左の側壁４に対して約１８０度の角度で設けられる。換言すれば、左の内側壁６は左の側壁４の内面に添接するように重合して配される。また、左の側壁４は、その前縁から側壁４を所望の位置で安定支持させるための補助片４１を連続して設けている。補助片４１は、左の側壁４との境界部分ｂ８から内側に折り曲げられ、左の側壁４に対して約９０度の角度で設けられる。この補助片４１は、前壁２と内前壁８との間に配されて側壁４の安定に寄与するものである。さらに、左の側壁４は、その後縁から内後壁１１を形成するための片状をなす内後壁構成片４２を連続して設けている。内後壁構成片４２は、左の側壁４との境界部分ｂ９から内側に折り曲げられ、左の側壁４に対して約９０度の角度で設けられる。なお、内後壁１１は、後壁３の内側に立設されるものであり、前述した左の側壁４の内後壁構成片４２と、後述する右の側壁５の内後壁構成片５２とによって構成されるものである。
【００２５】
右の側壁５は、外面と内面を有する矩形平板状のものであり、その上縁から右の内側壁７を連続して設けている。右の内側壁７は、右の側壁５との境界部分ｂ１０から内側に折り曲げられ、右の側壁５に対して約１８０度の角度で設けられる。換言すれば、右の内側壁７は左の側壁４の内面に添接するように重合して配される。また、右の側壁５は、その前縁から側壁５を所望の位置で安定支持させるための補助片５１を連続して設けている。補助片５１は、右の側壁５との境界部分ｂ１１から内側に折り曲げられ、右の側壁５に対して約９０度の角度で設けられる。この補助片５１は、前壁２と内前壁８との間に配されて側壁５の安定に寄与するものである。さらに、右の側壁５は、その後縁から内後壁１１を形成するための片状をなす内後壁構成片５２を連続して設けている。内後壁構成片５２は、右の側壁５との境界部分ｂ１２から内側に折り曲げられ、右の側壁５に対して約９０度の角度で設けられる。しかして、左の側壁４の内後壁構成片４２に設けられた係止スリット４２Ｌと、右の側壁５の内後壁構成片５２に設けられた係止スリット５２Ｌとを係合させて、各内後壁構成片４２、５２とを連結することにより、内後壁１１を形成している。
【００２６】
左の内側壁６は、外面と内面を有する矩形平板状のものであり、その下縁６４から側壁４を所望の位置で安定支持させるための補助片６２を連続して設けている。補助片６２は、左の内側壁６との境界部分ｂ１３から内側に折り曲げられ、左の内側壁６に対して約９０度の角度で設けられる。この補助片６２は、底壁１と内底壁９との間に配されて左の側壁４を所望の位置で安定支持させるとともにケースＣの形状の安定に寄与するものである。さらに、左の内側壁６には、基端部６１１を左の側壁４の上縁と左の内側壁６との境界部分ｂ７に設けた舌片状の左の切起片６１を備えている。この切起片６１は、図４に示されるように、後述する右の内側壁７の切起片７１とともに、トランプＢの抜け止め機能を発揮するものである。左の内側壁６は、その下縁６４に、一部を切り欠いてなる凹部６３が形成されている。左の内側壁６の下縁６４を形成する凹部６３は、紙製シートＰの厚み分の上下方向の寸法を切り欠いてなるもので、下方及び後方に開放されている。そして、後述する凸部ｔ１を係合させるようにしている。
【００２７】
右の内側壁７は、外面と内面を有する矩形平板状のものであり、その下縁７４から右の側壁５を所望の位置で安定支持させるための補助片７２を連続して設けている。補助片７２は、右の内側壁７との境界部分ｂ１４から内側に折り曲げられ、右の内側壁７に対して約９０度の角度で設けられる。この補助片７２は、底壁１と内底壁９との間に配されて右の側壁５を所望の位置で安定支持させるとともにケースＣの形状の安定に寄与するものである。さらに、右の内側壁７には、基端部７１１を右の側壁５の上縁と右の内側壁７との境界部分ｂ１０に設けた舌片状の右の切起片７１を備えてなる。この切起片７１は、図４に示されるように、前述した左の内側壁６の切起片６１とともに、トランプＢの抜け止め機能を発揮するものである。より詳述すれば、切起片６１、７１は、左右の内側壁６、７から切り起こして収容空間Ｓに配された状態のトランプＢの上面に位置させることができるようになっており、蓋体１０を閉位置にした状態で、天壁１０１と左右の側壁４、５との間からトランプＢが抜け出すことを禁止している。右の内側壁７は、その下縁７４に、一部を切り欠いてなる凹部７３が形成されている。右の内側壁７の下縁を７４を形成する凹部７３は、紙製シートＰの厚み分の上下方向の寸法を切り欠いてなるもので、下方及び後方に開放されている。そして、後述する凸部ｔ２を係合させるようにしている。
【００２８】
内前壁８は、外面と内面を有する矩形平板状のものであり、その下縁から内底壁９を連続して設けている。内底壁９は、内前壁８との境界部分ｂ１５から内側に折り曲げられ、内前壁８に対して約９０度の角度で設けられる。
【００２９】
内底壁９は、外面と内面を有する矩形平板状のものである。しかして、本実施形態におけるケースＣは、内底壁９の両側縁９１すなわち左右の側縁９１における後壁３の近傍の位置に、左右の外方に突出させた左右の凸部ｔ１、ｔ２を設けており、これら左右の凸部ｔ１、ｔ２を左右の内側壁６、７の下縁に係わり合わせているようにしている。すなわち、左右の凸部ｔ１、ｔ２と左右の内側壁６、７の下縁とを係わり合わせるようにして、内底壁９が上方へ移動することを規制している。
【００３０】
左右の凸部ｔ１、ｔ２は、それぞれ内底壁９の側縁９１に設けられたもので、本実施形態のものは、縦長矩形状をなしている。左右の凸部ｔ１、ｔ２は、左右の内側壁６、７の下縁に形成された凹部６３、７３に係合している。
【００３１】
蓋体１０は、前壁２、後壁３、及び左右の側壁４、５の上縁部分と離反して収容空間Ｓを外部に解放する開位置と、前壁２、後壁３、及び左右の側壁４、５の各上縁部分に添接して収容空間Ｓの上側を覆う閉位置との間で開閉可能に構成されているものである。蓋体１０は、内面と外面を有する矩形平板状の天壁１０１と、この天壁１０１の前縁から延びてなり前壁２の外面の一部を覆うとともに前記前壁２に着脱自在に係わり合う蓋片１０２とを備えている。蓋片１０２は、天壁１０１との境界部分ｂ１６から内側に折り曲げられ、天壁１０１に対して約９０度の角度で設けられる。また、蓋片１０２は、下縁側の左右方向の略中央の位置に片状をなして下方に向けて突出する係止突部１０２ａを備えており、前壁２の係止部Ｌ１に対して前記係止突部１０２ａが挿入及び抜き出し可能に構成されている。なお、本実施形態においては、天壁１０１の幅寸法が、底壁１の幅寸法よりも若干大きく設定されており、収容空間を確実に閉塞できるようにしている。
【００３２】
以上の構成をなすケースＣを形成する紙製シートＰに対しては適宜の印刷を施すことができ、一般的に多枚数を纏めて印刷するのに用いられるいわゆるオフセット印刷と称される印刷方式の他、１枚のみの印刷にも柔軟に対応可能ないわゆるオンデマンド印刷と称される印刷方式が用いられる。また、一般に矩形をなした所定サイズに規格化された印刷用の紙製用紙から、所望の形状を有したケースを形成する部分（紙製シートＰ）を切り抜くための方策としては、一般的なプレス式の裁断装置等を用いて複数枚を纏めて切断する方式のみに限られず、カッティング装置を用いて１枚だけを切断する方式も採用することができる。このため、本実施形態に係るケースＣを得るために、オンデマンド印刷の印刷方式と、カッティング装置による切断の方式とを組み合わせて利用することができ、少数の要望に対しても柔軟に対応することができるようになっている。
【００３３】
以上、詳述したように、本実施形態に係るケースは、内底壁９の両側縁に、外方に突出する形状の凸部ｔ１、ｔ２を設け、これら凸部ｔ１、ｔ２を内側壁６、７の下縁に係わり合わせているので、単一の紙製シートＰを折り曲げて形成することによって弾性反発力が惹起されても、内底壁９が底壁から離れる方向に移動することが規制されることになる。このため、内底壁が底壁に添接した状態で安定することになり、型崩れを抑制するとともに強度に優れたケースＣを実現することができる。
【００３４】
さらに、本実施形態のものは、左右の内側壁６、７の下縁に、一部を切り欠いてなる凹部６３、７３が形成されており、これら凹部６３、７３に凸部ｔ１、ｔ２を係わり合わせるようにしているので、凸部ｔ１、ｔ２を所望の位置で確実に係わり合わせることができるものとなる。また、凸部ｔ１、ｔ２が、内底壁９の両側縁における後壁３の近傍に形成されているので、紙製シートＰの弾性反発力に対して効果的に内底壁９の浮き上がりを抑制することができる。
【００３５】
本実施形態のものは、後壁３から連設され収容空間Ｓの上側を覆う天壁１０１を有する蓋体１０を備え、左右の内側壁６、７に、基端部６１１、７１１を左右の側壁４、５と左右の内側壁６、７との境界部分に設けた切起片６１、７１とを備えているので、カード等の物品が、蓋体１０の天壁１０１と左右の側壁４、５の上縁との間から抜け出るのを好適に抑制することができる。
【００３６】
なお、本考案は、以上に詳述した実施形態に限られるものではない。
【００３７】
例えば、物品は、上述したトランプに限られず、名刺等の種々のカードや、カード以外のものであっても良いのはもちろんのことである。すなわち、ケースは、カード等の紙葉類の他、紙葉類以外の物品を収納するものであってもよい。
【００３８】
本実施形態に係るケースは蓋体を備えたものであったが、蓋体を有しない構成のものであってもよい。
【００３９】
また、凸部が係わり合う左右の内側壁の下縁は本実施形態に示される具体的な箇所には限定されず、左右の内側壁の下縁における適宜の箇所に設定することができる。
【００４０】
左右の内側壁の下縁に、凹部を設けていないものであっても良い。
【００４１】
ケースの補強や構造の安定に供するための補助片は、本実施形態に示したものに限定されるものではなく、適宜の箇所に設けてもよい。
【００４２】
印刷可能な領域を有する紙製シートに対する印刷は、片面にするものであっても両面にするものであってもよいのはもちろんのことである。
【００４３】
境界部分にはあらかじめ折り癖をつけるようにしたりミシン目を設けるようにしたり適宜行うことができるものである。
【００４４】
その他、各部の具体的構成についても上記実施形態に限られるものではなく、本考案の趣旨を逸脱しない範囲で種々変形が可能である。
【符号の説明】
【００４５】
１…底壁
２…前壁
３…後壁
４…（左の）側壁
５…（右の）側壁
６…（左の）内側壁
７…（右の）内側壁
８…内前壁
９…内底壁
ｔ１…凸部
ｔ２…凸部
Ｃ…ケース
Ｐ…紙製シート
【図１】
0003172397.tif 000003
【図２】
0003172397.tif 000004
【図３】
0003172397.tif 000005
【図４】
0003172397.tif 000006
【図５】
0003172397.tif 000007
【図６】
0003172397.tif 000008
【図７】
0003172397.tif 000009